(57)【特許請求の範囲】
【請求項１】
嵌合部を有する木質部材と、該嵌合部に嵌入され該木質部材と一体化される金物とからなり、上記金物を介して柱側面及び梁下面に当接固定されるようになっており、
上記金物は、所定の間隔を空けて相対向する一対の略三角形状の側壁部を有し、該両側壁部における柱側の縁部間及び梁側の縁部間に、ボルトを柱又は梁側から螺合可能な雌ねじ部を有する雌ねじ部形成部材が固定されており、該両側壁部における柱側の縁部及び梁側の縁部それぞれに、固定用孔を有する固定用鍔部が各側壁部に対して直角に形成されており、該固定用鍔部は、上記固定用孔を介して釘等の固定具により上記嵌合部の開口縁部に固定されるようになっていることを特徴とする方杖。
【請求項２】
請求項１に記載の方杖を用いて柱と梁とを接合してなる接合構造であって、
上記柱と上記梁とにより形成される入隅部に上記方杖を当接し、該柱及び該梁それぞれに形成された貫通孔に室外側からボルトを装着し、該各ボルトを上記雌ねじ部に螺合させて該方杖を該柱及び該梁に固定してなる接合構造。
【請求項３】
上記金物の室内側の表面全体が、上記木質部材に被覆されていることを特徴とする請求項２に記載の接合構造。
【請求項４】
上記梁が、登り梁であり、上記金物における柱側面に固定される柱固定部は、柱側面に沿うように形成され、該金物における梁下面に固定される梁固定部は、該登り梁の傾斜に沿うように傾斜させて形成されていることを特徴する請求項２又は請求項３に記載の接合構造。
【発明の詳細な説明】
【０００１】
【発明の属する技術分野】
本発明は、木質部材と金物とからなる方杖に関し、詳しくは、既存の大工職技術の範疇で高精度に取付可能であり、柱と傾斜梁との接合部に剛接合に近い性能を得ることのできる方杖、及び該方杖を用いた柱と梁との接合構造に関する。
【０００２】
【従来の技術及び発明が解決しようとする課題】
従来、木造の大断面構造を含む差し掛け小屋の工法においては、傾斜梁を直接桁上に乗せてピン接合の構造とする場合と、柱上部と梁とに方杖を掛け渡して固定し、あるいは方杖が一体化された一体成型の梁を用いて、剛接合の構造とする場合とがある。
【０００３】
しかし、ピン接合の場合、現場組立時に高精度を確保することが困難であり、また、空間拡張性や受梁・柱の水平力負担の問題、更に部材点数の多さ、組立工場の整備等の諸問題がある。
また、剛接合の場合にも、現場精度によるばらつきや、一体成型のために特殊な製法が必要である等の不都合があり、また、大断面集成材等の大断面部材を用いなければならない等の不都合がある。
【０００４】
従って、本発明の目的は、既存の大工職技術の範疇で高精度に取付可能であり、柱と傾斜梁との接合部に剛接合に近い性能を得ることのできる方杖、及び該方杖を用いた柱と梁との接合構造を提供することにある。
【０００５】
【課題を解決するための手段】
請求項１に記載の発明は、嵌合部を有する木質部材と、該嵌合部に嵌入され該木質部材と一体化される金物とからなり、上記金物を介して柱側面及び梁下面に当接固定されるようになっており、上記金物は、所定の間隔を空けて相対向する一対の略三角形状の側壁部を有し、該両側壁部における柱側の縁部間及び梁側の縁部間に、ボルトを柱又は梁側から螺合可能な雌ねじ部を有する雌ねじ部形成部材が固定されており、該両側壁部における柱側の縁部及び梁側の縁部それぞれに、固定用孔を有する固定用鍔部が各側壁部に対して直角に形成されており、該固定用鍔部は、上記固定用孔を介して釘等の固定具により上記嵌合部の開口縁部に固定されるようになっていることを特徴とする方杖を提供することにより、上記目的を達成したものである。
【０００８】
請求項２に記載の発明は、請求項１に記載の方杖を用いて柱と梁とを接合してなる接合構造であって、上記柱と上記梁とにより形成される入隅部に上記方杖を当接し、該柱及び該梁それぞれに形成された貫通孔に室外側からボルトを装着し、該各ボルトを上記雌ねじ部に螺合させて該方杖を該柱及び該梁に固定してなる接合構造を提供することにより、上記目的を達成したものである。
【０００９】
請求項３に記載の発明は、上記金物の室内側の表面全体が、上記木質部材に被覆されていることを特徴とする請求項２に記載の接合構造を提供することにより、上記目的を達成したものである。
【００１０】
請求項４に記載の発明は、上記梁が、登り梁であり、上記金物における柱側面に固定される柱固定部は、柱側面に沿うように形成され、該金物における梁下面に固定される梁固定部は、該登り梁の傾斜に沿うように傾斜させて形成されていることを特徴する請求項２又は請求項３に記載の接合構造を提供することにより、上記目的を達成したものである。
【００１１】
【発明の実施の形態】
以下、本発明の方杖及び接合構造の一実施形態について図面を参照しながら説明する。ここで、図１は、本発明の方杖の一実施形態を示す斜視図である（木質部材と金物とを分離した状態を示す）。図２は、本発明の方杖の一実施形態を示す斜視図である（木質部材と金物とが嵌合一体化された状態を示す）。図３は、図１及び図２の方杖を用いて柱と梁とを接合してなる接合構造、即ち本発明の接合構造の一実施形態を説明するための説明図である。
【００１２】
先ず、本発明の方杖の一実施形態について説明する。
本実施形態の方杖１は、図１〜図３に示されるように、嵌合部２１を有する木質部材２と、該嵌合部２１に嵌入され該木質部材２と一体化される金物３とからなり、上記金物３を介して柱側面４ａ及び梁下面５ａに当接固定されるようになっている。
【００１３】
上記金物３は、図１に示されるように、柱側面に固定される柱固定部３ａと、梁下面に固定される梁固定部３ｂとを有しており、該柱固定部３ａに、柱側からボルトを螺合可能な複数の雌ねじ部３１ａを有し、該梁固定部３ｂに、梁側からボルトを螺合可能な複数の雌ねじ部３１ｂを有している。上記柱固定部３ａ及び上記梁固定部３ｂに設けられる上記雌ねじ部３１の個数は、柱上部と梁との接合部に剛接合に近い高性能を確保する等の観点から、それぞれ複数であることが好ましく、それぞれ２〜４個であることがより好ましい。尚、本実施形態の方杖１は、図３に示すように、柱４と登り梁５とより構成される鉛直構面の入隅部に固定されるようになされている。即ち、上記金物３における上記柱固定部３ａは、柱側面４ａに沿うように形成され、該金物３における上記梁固定部３ｂは、該登り梁の傾斜に沿うように傾斜させて形成されている。
【００１４】
上記金物３について更に詳しく説明する。上記金物３は、図１に示すように、内部に中空部を有する箱型の金物であり、所定の間隔を空けて相対向する一対の略三角形状の側壁部３２，３２（一方のみ図示する。）を有している。
上記各側壁部３２は、柱固定部３ａを構成し柱に当接される柱側の縁部３２ａと、上記梁固定部３ｂを構成し梁に当接される梁側の縁部３２ｂと、方杖固定時に室内側に向けて配される室内側の端部３２ｃとを有しており、該室内側の端部３２ｃは、所定の幅を有する帯状の背面部３３に直角に結合されている。
【００１５】
そして、上記両側壁部３２，３２（一方のみ図示する。）における柱側の縁部３２ａ，３２ａ間及び梁側の縁部３２ｂ，３２ｂ間に、上記雌ねじ部３１が形成されたブロック状の雌ねじ部形成部材３４が所定間隔に固定されている。
また、上記両側壁部３２，３２における柱側の縁部３２ａ，３２ａ及び梁側の縁部３２ｂ，３２ｂそれぞれには、固定用孔３５が形成された固定用鍔部３６が、各側壁部３２，３２に対して直角に且つ外方に張り出すように形成されている。
【００１６】
本実施形態の方杖１においては、上記各固定用鍔部３６は、相対向する側面部の固定用鍔部３６と対をなすように設けられており、本方杖１における柱固定部３ａ及び梁固定部３ｂそれぞれには、対をなした固定用鍔部３６，３６と、上記雌ねじ部形成部材３４とが交互に配された状態となっている。尚、各固定用鍔部３６における固定用孔３５は、テーパー状又は段部を有する形状とされており、釘等の固定具の頭部が該固定用鍔部３６の表面から突出しないように該固定用鍔部３６を木質部材２に固定できるようになっている。
【００１７】
上記木質部材２は、図１に示されるように、互いに平行な三角形状の一対の側面２２，２２（一方のみ図示する。）と、柱側面４ａに当接される鉛直端面２３と、梁下面５ａに当接される傾斜端面２４と、室内側に向けて配される室内側端面（図示せず）とを有する五面体様の形態を有し、上記嵌合部２１が、一対の上記側面２２，２２間に該両側面２２，２２に沿う溝として形成されている。嵌合部２１は、その縦断面形状が木質部材２の上記両側面２２と相似の三角形状とされており、該嵌合部２１の内側面は、上記両側面２２，２２と平行となっている。
【００１８】
上記嵌合部２１は、上記鉛直端面２３及び上記傾斜端面２４に開口しており、その開口縁部に、所定の段差を形成する段部２５を有しており、上記金物３と嵌合一体化された状態において、上記各固定用鍔部３６は、その裏面が該段部２５の表面に当接されると共に、その表面が上記鉛直端面２３又は上記傾斜端面２４と同一平面を形成するようになっている。
【００１９】
本実施形態の方杖１は、図２に示されるように、木質部材２の該嵌合部２１に上記金物３を嵌入し、該金物３を上記固定用鍔部３６の固定用孔３５を介して釘等の固定具で該木質部材２に固定された状態で使用される。従って、本実施形態の方杖１によれば、木質部材２と金物３とを予め工場等で嵌合一体化させておくことで、現場作業の軽減を図ることができる。
【００２０】
尚、上記木質部材の形成材料は、木質材であれば特に制限されないが、集成材、ＬＶＬ、人乾製材等が挙げられ、これらの中でも自重、精度、加工性等の観点から集成材が好ましい。また、上記金物の形成材料としては、建築分野における各種金物の形成材料として従来公知の各種のものを用いることができ、例えば、普通鋼、ステンレス鋼、特殊鋼等の鋼材やアルミ等が挙げられる。
【００２１】
本実施形態の方杖１は、木質部材２と金物３とが一体化されてなり、金物３を介して柱側面４ａ及び梁下面５ａに当接固定されるようになっているため、金物３と木質部材２との微妙に異なる性能が相乗効果的に作用し、▲１▼熱損失が少ない、▲２▼寸法安定性に優れ、反り等に起因する問題が生じない、▲３▼高耐力が長期間維持される、▲４▼木質部材による調湿効果が得られる、▲５▼耐火性に優れる、等の効果が奏される。また、ボルトにより取付可能となっているため、既存の大工職技術の範疇で簡単に取付可能であり、施工精度にも優れている。
また、上記各固定用鍔部３６が、上記木質部材２の段部２５に面接固定されると共に、柱側面４ａ又は梁下面５ａに面接するようになっているため、上記柱４と上記梁５とにより形成される入隅部への固定がより簡単であり、また、柱４と梁５との間に剛接合に近い特に優れた接合強度等の高性能を得ることができる。
【００２２】
次に、上記方杖１を用いて柱４と登り梁である梁５とを接合してなる接合構造、即ち、本発明の接合構造の一実施形態について図３を参照して説明する。
本実施形態の接合構造は、図３に示すように、上記方杖１を用いて柱４と梁５とを接合してなる接合構造であって、上記柱４と上記梁５とにより形成される入隅部に上記方杖１を当接し、該柱４及び該梁５それぞれに形成された貫通孔４３，５３に室外側からボルト６を装着し、該ボルト６を上記雌ねじ部３１（図２参照）に螺合させて該方杖１を該柱４及び該梁５に固定してなる。尚、本明細書においては、図３に示すように、鉛直構造材４１の上部に水平梁４２が設けられ、登り梁である上記梁５が該水平梁４２に乗せ掛けられている場合であっても、該鉛直構造材４１と該水平梁４２とをまとめて柱４と表現する。
【００２３】
本接合構造について、より詳しく説明すると、上記方杖１は、上記鉛直端面２３を上記柱４に当接され、上記傾斜端面２４を上記梁５に当接されて、該柱４と該梁５とにより形成される入隅部に固定される。尚、上記各固定用鍔部３６は、上記鉛直端面２３又は上記傾斜端面２４と同一平面を形成しているため、方杖１の固定時に、柱側面５ａ又は梁下面５ａに当接された状態となる。このため、上記方杖１の入隅部への固定が強固且つ安定となっており、優れた接合強度が確保される。
また、上記各貫通孔４３，５３は、それぞれ上記柱４又は上記梁５に対し直角に形成されている。尚、図３中、７で示されるのは、釘等により固定されて接合部を補強する金物である。
【００２４】
また、本実施形態の接合構造においては、図３（ｃ）に示されるように、上記方杖１の金物３が、上記木質部材２に完全に覆われて該金物３が外部から見えないようになっている。
【００２５】
本実施形態の接合構造によれば、上記方杖１を用いているため、該方杖１の効果として上述したような各種の優れた効果が奏される。また、上記柱４又は上記登り梁５との入隅部に上記方杖１を固定してなるので、木造住宅に剛接合に近い高性能を導入することができ、また、その際、大断面集成材等の大断面部材を用いる必要がない。従って、コストを増大させずに、広い室内空間を実現すること等が可能となる。
また、上記各貫通孔４３，５３が、それぞれ上記柱４又は上記梁５に対し直角に形成されてため、上記方杖１の上記入隅部への固定が強固であり、また、ボルト６に緩みが生じた場合であっても方杖１が脱落する危険がない。
【００２６】
また、上記金物３の室内側の表面全体が、上記木質部材２に被覆されているため、木造住宅において、室内側に上記方杖１が露出するようにしても、上記木質部材２のみが目に触れることになるので、暖かみ等の木質材の有する良さを損なうことのない意匠性に優れた内装に仕上げることができる。
【００２７】
以上、本発明の方杖及び接合構造の一実施形態について説明したが、本発明は上記実施形態に制限されることなく本発明の趣旨を逸脱しない範囲で適宜変更が可能である。
例えば、本発明の方杖及び本発明の接合構造における方杖は、図４に１’として示すように、柱４と水平梁５とにより形成される入隅部に固定されるものであっても良い。
【００２８】
また、上記雌ねじ部形成部材３４は、図５に示す金物３’におけるように、上記側壁部３２の柱側の縁部３２ａ又は梁側の縁部３２ｂから所定の寸法内側に設けても良い。このような構成とすることにより、方杖の取付がより簡単となる等の利点がある。
その他各部材の形成材料や寸法等は本発明の趣旨を逸脱しない範囲内で適宜に変更することができることは言うまでもない。
【００２９】
【発明の効果】
本発明によれば、既存の大工職技術の範疇で高精度に取付可能であり、柱と傾斜梁との接合部に剛接合に近い性能を得ることのできる方杖、及び柱と梁との接合構造を提供することができる。
【図面の簡単な説明】
【図１】図１は、本発明の方杖の一実施形態を示す斜視図である（木質部材と金物とを分離した状態を示す）。
【図２】図２は、本発明の方杖の一実施形態を示す斜視図である（木質部材と金物とが嵌合一体化された状態を示す）。
【図３】図３は、図１及び図２の方杖を用いた本発明の接合構造の一実施形態を説明するための説明図である。
【図４】図４は、本発明の方杖及び接合構造の他の実施形態を示す模式図である。
【図５】図５は、本発明の方杖の他の実施形態の要部を示す模式図である。
【符号の説明】
１    方杖
２    木質部材
３    金物
３ａ  柱固定部
３ｂ  梁固定部
３１，３１ａ，３１ｂ  雌ねじ部
３２  側壁部
３３  背面部
３４  雌ねじ部形成部材
３５  固定用孔
３６  固定用鍔部
４    柱
４ａ  柱側面
５    梁
５ａ  梁下面
６    ボルト
【図１】
0004010638.tif 000002
【図２】
0004010638.tif 000003
【図３】
0004010638.tif 000004
【図４】
0004010638.tif 000005
【図５】
0004010638.tif 000006